(57)【要約】【課題】スペースに制約されること無く、書籍に、この書籍に関連する情報を載せられるようにすること。【解決手段】本発明では上記課題を達成するために、情報を読書き可能なメモリ機能を持つＩＣタグを有する書籍であって、このＩＣタグは、この書籍に関連する情報を記憶するのに使用されることを特徴とする書籍としたものである。このＩＣタグを、この書籍に関連する情報を記憶するのに使用することで、スペースに制約されること無く、書籍に、この書籍に関連する情報を載せられるという効果が得られる。【選択図】なし【特許請求の範囲】
【請求項１】
情報を読書き可能なメモリ機能を持つＩＣタグを有する書籍であって、このＩＣタグは、この書籍に関連する情報を記憶するのに使用されることを特徴とする書籍。
【請求項２】
請求項１に記載の書籍のＩＣタグから、この書籍に関連する情報を読み取る機能と、読み取ったこの書籍に関連する情報を表示する機能とを有するリーダ装置であって、書店の書籍を陳列する場所に設置されるものであることを特徴とするリーダ装置。
【請求項３】
請求項１に記載の書籍のＩＣタグから、この書籍に関連する情報を読み取る機能と、読み取ったこの書籍に関連する情報をプリントアウトする機能とを有するリーダ装置であって、書店のレジカウンターに設置されるものであることを特徴とする装置。
【発明の詳細な説明】
【技術分野】
【０００１】
本発明は、ＩＣタグを書籍に応用する技術に関する。
【背景技術】
【０００２】
従来から、書籍には、この書籍に関連する情報が載っている。
【０００３】
例えば、書籍の巻末の奥付と呼ばれる箇所に、著者の検印、書名、定価、発行年月日、版数（刷数）、著訳編者名、著作権者名、発行者名、発行者の所在地、印刷所名、製本所名、著者の略歴、ＩＳＢＮコードなどの事項を、まとめて印刷することが慣習となっている。
【０００４】
また例えば、書籍の巻末には、この書籍が含まれるシリーズの案内が印刷されていることもある。
【０００５】
しかしながら、スペースの関係で、書籍に載せられる、この書籍に関連する情報の量は、必ずしも満足できないものでは無い。例えば、書籍のテーマに関連した書籍の情報が載っているものは、ほとんど無い。
【発明の開示】
【発明が解決しようとする課題】
【０００６】
本発明は斯かる背景技術に鑑みてなされたもので、スペースに制約されること無く、書籍に、この書籍に関連する情報を載せられるようにすることを課題とする。
【課題を解決するための手段】
【０００７】
本発明において上記の課題を達成するために、まず請求項１の発明では、情報を読書き可能なメモリ機能を持つＩＣタグを有する書籍であって、このＩＣタグは、この書籍に関連する情報を記憶するのに使用されることを特徴とする書籍としたものである。
【０００８】
また請求項２の発明では、請求項１に記載の書籍のＩＣタグから、この書籍に関連する情報を読み取る機能と、読み取ったこの書籍に関連する情報を表示する機能とを有するリーダ装置であって、書店の書籍を陳列する場所に設置されるものであることを特徴とするリーダ装置としたものである。
【０００９】
また請求項３の発明では、請求項１に記載の書籍のＩＣタグから、この書籍に関連する情報を読み取る機能と、読み取ったこの書籍に関連する情報をプリントアウトする機能とを有するリーダ装置であって、書店のレジカウンターに設置されるものであることを特徴とする装置としたものである。
【発明の効果】
【００１０】
請求項１の発明は、書籍がＩＣタグを有し、このＩＣタグを、この書籍に関連する情報を記憶するのに使用するので、スペースに制約されること無く、書籍に、この書籍に関連する情報を載せられるようにすることができるという効果がある。
【００１１】
請求項２の発明は、書店の顧客が、書籍の購入前に、この書籍のＩＣタグから、この書籍に関連する情報を読み取って表示できるという効果がある。また、書籍に関連する情報に、他の書籍の情報が含まれていれば、この他の書籍の情報が表示されて、この他の書籍に対する顧客の購買意欲を刺激するといった販売促進効果もある。
【００１２】
請求項３の発明は、顧客が書籍を購入するに際して、レジカウンターの店員が、この書籍のＩＣタグから、この書籍に関連する情報を読み取ってプリントアウトし、プリントアウトされたものを顧客に渡すことができるという効果がある。また、書籍に関連する情報に、他の書籍の情報が含まれていれば、この他の書籍の情報がプリントアウトされて、この他の書籍に対する顧客の購買意欲を刺激するといった販売促進効果もある。
【発明を実施するための最良の形態】
【００１３】
以下に、本発明の最良の一実施形態を説明する。
【００１４】
本実施形態では、書籍は、情報を読書き可能なメモリ機能を持つＩＣタグを有し、このＩＣタグは、この書籍に関連する情報を記憶するのに使用されるものである。
【００１５】
印刷会社は、出版社からの発注を受けて、書籍にＩＣタグを取付け、書籍のＩＣタグに、リーダライタ装置を用いて、この書籍に関連する情報を書き込む。この書籍に関連する情報は、出版社から印刷会社に提供させたものであって、例えば、書名、定価、発行年月日、版数（刷数）、著訳編者名、著作権者名、発行者名、発行者の所在地、印刷所名、製本所名、著者の略歴、ＩＳＢＮコードなどの事項の他、この出版社が発行している出版物の中で、この書籍のテーマに関連するものの案内などが挙げられる。
【００１６】
書籍へのＩＣタグの取り付けには、例えば、ＩＣタグを抄き込んだ用紙から、表紙、ジャケット、或は、帯を作ることで行われても良い。
【００１７】
また、取次業者或は書店も、書籍のＩＣタグに、リーダライタ装置を用いて、独自に、この書籍に関連する情報を書き込む。この書籍に関連する情報は、例えば、この書籍を出版している出版社以外の出版社を含めて、発行されている出版物の中で、この書籍のテーマに関連するものの案内などが挙げられる。
【００１８】
書店は、書籍のＩＣタグから、この書籍に関連する情報を読み取る機能と、読み取ったこの書籍に関連する情報を表示する機能とを有する第１のリーダ装置を、書籍を陳列している場所の随所に設置する。
【００１９】
第１のリーダ装置は、書籍を陳列している場所の随所に設置されているので、書店の顧客は、書籍の購入前に、このリーダ装置で、この書籍のＩＣタグから、この書籍に関連する情報を読み取って表示することにより、この書籍に関連する情報を閲覧することができる。
【００２０】
また、書店は、書籍のＩＣタグから、この書籍に関連する情報を読み取る機能と、読み取ったこの書籍に関連する情報をプリントアウトする機能とを有する第２のリーダ装置を、レジカウンターに設置する。金銭登録機、ＰＯＳレジ、ＰＯＳ端末などのレジスターが、この第２のリーダ装置を兼ねても良い。或は、この第２のリーダ装置は、レジスターに接続され、このレジスターに、書籍のＩＣタグから、この書籍に関連する情報を読み取る機能と、読み取ったこの書籍に関連する情報をプリントアウトする機能とを付与するものであっても良い。書籍に関連する情報のプリントアウトは、例えば、レシート、栞などに行われる。
【００２１】
顧客が書籍を購入するに際して、レジカウンターの店員は、第２のリーダ装置で、この書籍のＩＣタグから、この書籍に関連する情報を読み取って、レシートや栞などに、プリントアウトし、この書籍に関連する情報が印刷されたレシートや栞などを、顧客に渡すことができる。また、レジスターが第２のリーダ装置を兼ねている場合、或は、第２のリー
ダ装置が、レジスターに接続される場合、レジカウンターの店員は、この書籍のＩＣタグから、この書籍に関連する情報を読み取るだけで、清算と同時に、この書籍に関連する情報をプリントアウトできるという効果がある。